(57)【特許請求の範囲】
【請求項１】
液体容器（Ｆ）から移送容器（Ａ）に液体を移送する定量液抽出移送具であって、
中空部と前記液体容器（Ｆ）から液体を前記中空部に流入する開口部（１２）とを備えた中空円筒体（１１）と、
ばね（１４）により常態において前記開口部（１２）と接して当該開口部（１２）を閉塞し、押ボタン（４）を押し込むことで前記開口部（１２）から離間して前記開口部（１２）を介して前記中空円筒体（１１）の中空部と前記液体容器（Ｆ）とを連結させる閉板（３）と、
前記中空円筒体（１１）の前記中空部に連結した中空体（２１）と、
前記中空体（２１）に一端が連結し、他端が前記移送容器（Ａ）内に配置される移送管（２２）と、
前記移送管（２２）に沿って移動可能に当該移送管（２２）に密嵌して取り付けられ、その取り付け位置に応じて、前記移送管（２２）の下端（Ｓ）までの位置が調整可能で、前記移送容器（Ａ）の口金（６）に封密状に装着される栓（５）と
を有し、
前記押ボタン（４）を押し込み前記閉板（３）を前記開口部（１２）から離間させることで、前記開口部（１２）、前記中空部、前記中空体（２１）および前記移送管（２２）を介して、前記液体容器（Ｆ）と前記移送容器（Ａ）との間で空気を流通させると共に、前記液体容器（Ｆ）から前記移送容器（Ａ）に前記液体を移送し、前記移送容器（Ａ）内の液面が前記移送管（２２）の下端（Ｓ）に到達すると、前記空気の流通が遮断され、前記液体容器（Ｆ）から前記移送容器（Ａ）への前記液体の移送を停止する
定量液抽出移送具。
【発明の詳細な説明】
【０００１】
【産業上の利用分野】
この発明は定量液抽出移送具に関し、具体的には液体容器からの液体を他の容器に定量抽出する場合に使用するもので、液体容器と他の容器間に密閉状に連接して定量液を抽出する機能を備えた定量液抽出移送具に係る。
【０００２】
【従来の技術】
液体容器から他の容器に定量液をうつす場合には、液体容器からの液取出し手段として自動取出具などがあるが、取出した液を定量だけ他の容器にうつし変える場合には升などの定量具を用いなければならなかった。
【０００３】
【発明が解決しようとする課題】
この発明は液体容器から他の容器への定量うつし変えを自動的に行なえる定量液抽出移送具を提供しようとするものである。
【０００４】
【課題を解決するための手段】
この発明に係る定量液抽出移送具を図１により説明すれば次のとおりである。
図面符号３０は定量液抽出移送具であり、１０は抽出部材２０は移送部材であり、両部材はいずれも中空孔を介して連結されている。抽出部材１０は、中空円筒体１１として形成されており、この円筒体の前端部にねじ２５とシール材２６を備えたキャップ２が枢着されている。
【０００５】
中空円筒体１１には前記円筒体の開口部１２を閉塞する閉板３が連結杆３１を介して設けられており、この杆の他端には押ボタン４が設けられている。前記閉板３は押ボタン４と突条１３間に設けたばね１４によって常態において、前記開口部１２を閉塞するように維持されているが、押ボタン４を鎖線図位置方向に押込むことで前記開口部１２から閉板３を離間させ開口を開放することができる。
【０００６】
閉板３は連結杆３１先端に袋ナット３２を介してルーズに取付けられているが、これは前記開口部１２への当接をやわらげるもので前記杆３１間のシール性はＯリング３３によって確保されている。また閉板３と開口部１２間のシール性は前記開口部の端壁面に設けたシール材１５によって確保されている。
また、連結杆３１表面と接触する突条１３の先端部にはＯリング等のシール材１６が設けられている。
【０００７】
移送部材２０は中空体２１とこれに連接する透明管２２（移送管）とで形成されており、基部を中空円筒体１１に連接されており、両者の共通の連通孔Ｐがされている。なおプラスチック成型に際しては中空体１１と２１とを単一成型として形成することができるものである。
【０００８】
透明管２２の所定位置には栓５が封密状に固定されており、この栓５はフランジ５１と筒５２で形成されており、筒５２にはＯリング等のシール材５３が設けられている。
透明管２２と中空体２１間には所定巾Ｍをもった可視部２４が形成されており、栓５のフランジ下面から透明管の下端Ｓに形成した小溝２３までの長さがＬのように形成されている。
【０００９】
【作用】
この発明に係る定量液抽出移送具のキャップ２を液体容器の口金に、そして栓５を移送容器の口金にそれぞれ密封状に取付ることで、液体容器と定量液抽出移送具および移送容器間は閉鎖空間を形成することになる。
そこで、押ボタン４を介して閉板３を解放すれば液体容器内の空気と移送容器内との空気の流通が行なわれ、これに伴って透明管の下端Ｓに到達するまでの液体の定量充填が行なわれる。
【００１０】
【実施例】
この発明の実施例はスプレー缶システムにおけるスプレー缶に適用した場合を示すが、前提であるスプレー缶システムにつき図２により略述すれば次のとおりである。
【００１１】
図２において符号Ａは液体Ｂをスプレーできる機能を備えた携帯用スプレー缶であり、Ｅはスプレー缶のエアを注入バルブＣを介してエアを注入するためのエアボンベ（加圧装置）、Ｆはスプレー缶のバルブＤのキャップＫを除去後の開口より液体Ｂを注入するための液体タンクであり、Ｅ−Ｃ間およびＦ−Ａ間には注入具を介してそれぞれの注入機能が達成される。なおスプレー缶ＡはキャップＫを除去することで缶内への液体の充填が行なわれる。
この発明の実施例は前記Ｆ−Ｄ間の液注入具としてスプレー缶内への注液量を定量移送する場合の適用例である。
なおスプレー缶システムについては特願平６−３２９２７８号，特願平６−３２９２７９号として技術開示している。
【００１２】
この発明の実施例を図３により説明すれば次のとおりである。
同図において液体の抽出移送手順を箇条書にして示せば次のとおりである。
１．キャップ２を液体容器（液体タンク）下の口金７に密着させる。
２．透明管２２をスプレー缶（移送容器）Ａ内に挿入し、栓５を口金６に密嵌する。
３．上記手段後押ボタン４を押して閉板３を解放する（鎖線図参照）
４．閉板３の解放により液体容器Ｆとスプレー缶内の空気の流通が行なわれ、これに伴って液体容器内の液体Ｂは開口部１２と透明管２２を通ってスプレー缶内に流下する。
５．前記流下液Ｂ’は透明管の下端Ｓに液面が到達した時点で空気の流通が遮断され、液体容器からの液体Ｂの流出は停止する。
６．押ボタン４を元にもどして閉板３によって開口部１２を閉じる。
７．キャップ２を口金７から離脱する。
８．栓５をスプレー缶の口金６から離脱する。
この離脱手順直後の小溝２３の空溝を介して定量液抽出移送具とスプレー缶内の空気の流通が生じ、前記移送具内の液体は自然流下する。
【００１３】
このようにして液体容器下からスプレー缶Ａ内に定量液が移送（充填）される。なお所定量は栓から透明管の下端までの長さＬによって定まる。
この発明は上記実施例に限定されるものでなく、抽出具の形状透明管の透明の有無および栓の取付位置などは任意に設計できるものである。
【００１４】
【発明の効果】
この発明は液体容器と移送容器間に定量液抽出移送具を閉塞空間を形成するように介在させ、押ボタンを操作することで前記両容器間の空気の流通を行ないこれによって液体容器内の液体を移送容器内に自動的に移送し、移送管と栓間の長さを規制することで所定量を確保することができる。
また移送管を透明管とすること可視部が形成でき、この可視部によって液体の充填状態を直接見ることで把握することができる。
【図面の簡単な説明】
【図１】この発明に係る定量液抽出移送具の断面説明図である。
【図２】この発明の実施例として適用したスプレー缶システムの説明図である。
【図３】この発明の実施例の要部断面説明図である。
【符号の説明】
１  定量液抽出移送具
２  キャップ
３  閉板
４  押ボタン
５  栓
６  スプレー缶の口金
７  液体容器の口金
１０  抽出部材
１１  円筒中空体
１２  開口部
１４  ばね
２０  移送部材
２１  中空体
２２  透明管（移送管）
２３  可視部
【図１】
0003556731.tif 000002
【図２】
0003556731.tif 000003
【図３】
0003556731.tif 000004